(57)【特許請求の範囲】
【請求項１】
回線の閉結前に交換機側から送られる信号を受信可能な信号受信手段と、交換機側から送られる発呼側装置の情報を受信可能な発呼側情報受信手段と、その発呼側情報受信手段の作動または停止の状態を設定する動作状態設定手段とを備えた電話装置において、
前記信号受信手段により受信される信号から発呼側装置の情報を通知することを示す信号を検出する検出手段と、
その検出手段によって発呼側装置の情報を通知することを示す信号が検出された場合に、前記動作状態設定手段による前記発呼側情報受信手段の設定を作動状態へ切り替える第１切替手段と、
前記検出手段によって発呼側装置の情報を通知することを示す信号が検出された際、更に、その検出手段による検出が適切であるか否かを判定する判定手段と、
その判定手段によって前記検出手段による検出が適切でなく別の情報を示す信号の検出であると判定された場合に、前記第１切替手段により切り替えられた前記動作状態設定手段による前記発呼側情報受信手段の設定を元の状態へ切り替える第３切替手段とを備えていることを特徴とする電話装置。
【請求項２】
回線の閉結前に交換機側から送られる信号を受信可能な信号受信手段と、交換機側から送られる発呼側装置の情報を受信可能な発呼側情報受信手段と、その発呼側情報受信手段の作動または停止の状態を設定する動作状態設定手段とを備えた電話装置において、
前記信号受信手段により受信される信号から発呼側装置の情報を通知することを示す信号を検出する検出手段と、
その検出手段によって発呼側装置の情報を通知することを示す信号が検出された場合に、前記動作状態設定手段による前記発呼側情報受信手段の設定を作動状態へ切り替える第１切替手段と、
前記検出手段によって発呼側装置の情報を通知することを示す信号が検出された際、更に、その検出手段による検出が適切であるか否かを判定する判定手段と、
その判定手段によって前記検出手段による検出が適切でなく別の情報を示す信号の検出であると判定された場合に、前記第１切替手段により切り替えられた前記動作状態設定手段による前記発呼側情報受信手段の設定を停止状態へ切り替える第４切替手段とを備えていることを特徴とする電話装置。
【請求項３】
前記判定手段によって前記検出手段による検出が適切でないと判定された場合に、前記信号受信手段により受信された前記別の情報を示す信号の送信先である発呼側装置に対して所定のメッセージを通知するメッセージ通知手段を備えていることを特徴とする請求項１または２に記載の電話装置。
【請求項４】
前記別の情報を示す信号は内線の呼出信号であることを特徴とする請求項１から３のいずれかに記載の電話装置。
【発明の詳細な説明】
【０００１】
【発明の属する技術分野】
本発明は電話装置に関し、特に、回線の閉結前に交換機側から送られる信号に基づいて、発呼側装置の電話番号などの情報を受信するための設定を作動状態または停止状態に切り替えることができる電話装置に関するものである。
【０００２】
【従来の技術】
日本をはじめ、アメリカやイギリスなどでは、いわゆる発信電話番号表示サービス（「ナンバーディスプレイ」、「Caller ID」）が実用化されている。このサービスは、被呼側装置が当該サービスに加入している場合に、交換機から発呼側装置（発信者）の電話番号（発信者番号）を被呼側装置（電話装置）へ送信するサービスである。発信者番号が送信されるタイミングは、日本やイギリスでは、呼出信号の直前の無音区間であり、アメリカでは、最初の呼出信号と次の呼出信号との間の無音区間である。このため発信者番号は、受信者によって被呼側装置の受話器が取り上げられる前に（受話器がオンフック状態のまま）被呼側装置によって受信される。よって、このサービスを利用すれば、被呼側装置の受話器を取り上げる前に、発信者番号を被呼側装置の表示器（例えば、液晶ディスプレイ（ＬＣＤ））へ表示して、受信者に発信者を認識させることができる。
【０００３】
この発信電話番号表示サービスに加入している場合には、交換機から被呼側装置へ発信者番号が送信されるため、通話前に交換機と被呼側装置との間で送受信される信号は、発信電話番号表示サービスに加入していない場合と異なる。よって、発信電話番号表示サービスに加入して発信者番号を被呼側装置のＬＣＤへ表示するためには、発信電話番号表示サービス対応の電話装置を用意し、且つ、その電話装置に設けられている発信者番号を受信するための機能をオン状態に設定する必要がある。即ち、かかる電話装置について、発信電話番号表示サービスに加入している場合には、交換機から被呼側装置へ送られる発信者番号を受信可能にするための機能をオン状態に設定し、逆に、発信電話番号表示サービスに加入していない場合には、オフ状態に設定するのである。
【０００４】
【発明が解決しようとする課題】
しかしながら、発信電話番号表示サービスに加入しても、交換機から被呼側装置へ送られる発信者番号を受信するための機能をオン状態に設定することを忘れてしまうことがある。また、機械や装置等の操作を苦手とする人にとっては、かかる機能をオン状態に設定する方法が分からず、煩雑な操作を強いられることとなる。発信電話番号表示サービスに加入しても、発信者番号を受信するための機能をオン状態に設定せず、オフ状態のままに設定しておくと、交換機から被呼側装置へ送られる発信者番号を受信することができないという問題点があった。
【０００５】
本発明は上述した問題点を解決するためになされたものであり、回線の閉結前に交換機側から送られる信号に基づいて、発呼側装置の情報を受信するための設定を作動状態または停止状態に切り替えることができる電話装置を提供することを目的としている。
【０００６】
【課題を解決するための手段】
この目的を達成するために請求項１記載の電話装置は、回線の閉結前に交換機側から送られる信号を受信可能な信号受信手段と、交換機側から送られる発呼側装置の情報を受信可能な発呼側情報受信手段と、その発呼側情報受信手段の作動または停止の状態を設定する動作状態設定手段とを備えており、更に、前記信号受信手段により受信される信号から発呼側装置の情報を通知することを示す信号を検出する検出手段と、その検出手段によって発呼側装置の情報を通知することを示す信号が検出された場合に、前記動作状態設定手段による前記発呼側情報受信手段の設定を作動状態へ切り替える第１切替手段と、前記検出手段によって発呼側装置の情報を通知することを示す信号が検出された際、更に、その検出手段による検出が適切であるか否かを判定する判定手段と、その判定手段によって前記検出手段による検出が適切でなく別の情報を示す信号の検出であると判定された場合に、前記第１切替手段により切り替えられた前記動作状態設定手段による前記発呼側情報受信手段の設定を元の状態へ切り替える第３切替手段とを備えている。
【０００７】
請求項１記載の電話装置によれば、回線の閉結前に交換機側から送られる信号が信号受信手段によって受信され、その信号から発呼側装置の情報を通知することを示す信号が検出手段によって検出されると、動作状態設定手段による発呼側情報受信手段の設定が第１切替手段によって作動状態へ切り替えられる。そして、更に、検出手段による検出が適切であるか否かが判定手段により判定され、判定の結果、検出手段による検出が適切でなく別の情報を示す信号の検出であると判定された場合には、第１切替手段によって一旦切り替えられた動作状態設定手段による発呼側情報受信手段の設定が、第３切替手段によって元の状態へ切り替えられる。
【０００８】
【０００９】
【００１０】
【００１１】
【００１２】
【００１３】
請求項２記載の電話装置は、回線の閉結前に交換機側から送られる信号を受信可能な信号受信手段と、交換機側から送られる発呼側装置の情報を受信可能な発呼側情報受信手段と、その発呼側情報受信手段の作動または停止の状態を設定する動作状態設定手段とを備えており、更に、前記信号受信手段により受信される信号から発呼側装置の情報を通知することを示す信号を検出する検出手段と、その検出手段によって発呼側装置の情報を通知することを示す信号が検出された場合に、前記動作状態設定手段による前記発呼側情報受信手段の設定を作動状態へ切り替える第１切替手段と、前記検出手段によって発呼側装置の情報を通知することを示す信号が検出された際、更に、その検出手段による検出が適切であるか否かを判定する判定手段と、その判定手段によって前記検出手段による検出が適切でなく別の情報を示す信号の検出であると判定された場合に、前記第１切替手段により切り替えられた前記動作状態設定手段による前記発呼側情報受信手段の設定を停止状態へ切り替える第４切替手段とを備えている。
【００１４】
請求項２記載の電話装置によれば、回線の閉結前に交換機側から送られる信号が信号受信手段によって受信され、その信号から発呼側装置の情報を通知することを示す信号が検出手段によって検出されると、動作状態設定手段による発呼側情報受信手段の設定が第１切替手段によって作動状態へ切り替えられる。そして、更に、検出手段による検出が適切であるか否かが判定手段により判定され、判定の結果、検出手段による検出が適切でなく別の情報を示す信号の検出であると判定された場合には、第１切替手段によって一旦切り替えられた動作状態設定手段による発呼側情報受信手段の設定が、第４切替手段によって停止状態へ切り替えられる。
【００１５】
請求項３記載の電話装置は、請求項１または２に記載の電話装置において、前記判定手段によって前記検出手段による検出が適切でないと判定された場合に、前記信号受信手段により受信された前記別の情報を示す信号の送信先である発呼側装置に対して所定のメッセージを通知するメッセージ通知手段を備えている。
【００１６】
請求項４記載の電話装置は、請求項１から３のいずれかに記載の電話装置において、前記別の情報を示す信号は内線の呼出信号である。
【００１７】
【発明の実施の形態】
以下、本発明の好ましい実施例について、添付図面を参照して説明する。まず、図６を参照して、発呼があった場合に、発信電話番号表示サービス（「ナンバーディスプレー」、「Caller ID」）に加入している被呼側装置と交換機との間で送受信される各種信号について説明する。
【００１８】
図６に示すように、まず、図示しない発呼側装置から被呼側装置５１へ発呼されると、交換機５０は各種信号の送受信を行うために被呼側装置５１と交換機５０とを接続している電話回線の極性反転４１を行う。電話回線の極性は、通常、交換機５０側に設けられている直流電源（電池）（図示せず）によって、電話回線のＬ１側がマイナスに、Ｌ２側がプラスにされている。よって、電話回線の極性反転４１が行われると、電話回線のＬ１側がプラスに、Ｌ２側がマイナスに反転される。
【００１９】
交換機５０は、電話回線の極性反転４１を行うと、被呼側装置５１へ発信者番号（発呼側装置の電話番号）を通知することを示す情報受信端末起動信号４２を送信する。被呼側装置５１は、この情報受信端末起動信号４２を受信することにより、交換機５０から発信者番号が通知されてくることを認識する。情報受信端末起動信号４２を受信すると、被呼側装置５１から交換機５０へ発信者番号を受信可能になったことを示す１次応答信号４３が送信される。この１次応答信号４３の送信は、被呼側装置５１が電話回線を閉結することにより行われる。交換機５０は、交換機５０側から計測した電話回線の抵抗値（被呼側装置５１の直流（内部）回路の抵抗値を含む）が５０Ω以上１７００Ω以下となると、１次応答信号４３を受信したと判断する。
【００２０】
交換機５０は、１次応答信号４３を受信すると、ＩＴＵ−Ｔ勧告Ｖ．２３に準拠したＭＯＤＥＭ信号４４を被呼側装置５１へ送信する。発信者番号は、このＭＯＤＥＭ信号４４によって被呼側装置５１へ送信される。被呼側装置５１は、ＭＯＤＥＭ信号４４を受信すると、ＭＯＤＥＭ信号４４により発信者番号を受信したことを示す受信完了信号４５を交換機５０へ送信する。この受信完了信号４５の送信は電話回線を開放することにより行われ、交換機５０は、交換機５０側から計測した電話回線の抵抗値が１ＭΩ以上となると、受信完了信号４５を受信したと判断する。
【００２１】
交換機５０は、受信完了信号４５を受信すると、発呼側装置から被呼側装置５１へ着呼があることを示す呼出信号４６を被呼側装置５１へ送信する。ここで、受信者によって受話器が取り上げられオンフック状態となると、被呼側装置５１は、電話回線を閉結することにより、着呼に応答したことを示す２次呼出信号４７を交換機５０へ送信する。交換機５０は、前記した１次応答信号４３の場合と同様に、交換機５０側から計測した電話回線の抵抗値（被呼側装置５１の直流回路の抵抗値を含む）が５０Ω以上１７００Ω以下となると、２次応答信号４７を受信したと判断する。
【００２２】
交換機５０は、２次応答信号４７を受信すると、電話回線の極性復極４８を行う。即ち、この極性の復極により、Ｌ１側がマイナスに、Ｌ２側がプラスに戻される。極性の復極後、電話回線と交換機５０とを介して発信者（発呼側装置の通話者）と受信者（被呼側装置５１の通話者）との間で通話４９が行われる。
【００２３】
次に、被呼側装置５１が発信電話番号表示サービスに加入していない場合に、交換機５０と被呼側装置５１との間で送受信される各種信号について説明する。被呼側装置５１が発信電話番号表示サービスに加入していない場合には、図６のカッコの部分を除いた信号４１，４６〜４８が、被呼側装置５１と交換機５０との間で送受信される。
【００２４】
交換機５０は、まず、交換機５０と被呼側装置５１とを接続している電話回線の極性反転４１を行い、Ｌ１側をプラスに、Ｌ２側をマイナスに反転する。交換機５０は、極性反転を行うと、呼出信号４６を被呼側装置５１へ送信する。被呼側装置５１は、呼出信号４６を受信すると、２次応答信号４７を交換機５０へ送信する。上述したように２次応答信号４７は、受信者によって受話器がオフフック状態になった際、電話回線を閉結することにより送信される。交換機５０は、２次応答信号４７を受信すると、電話回線の極性復極４８を行い、Ｌ１側をマイナスに、Ｌ２側をプラスに復極する。この極性の復極後、電話回線と交換機５０とを介して発信者と受信者との間で通話４９が行われる。
【００２５】
このように、発信電話番号表示サービスに加入している場合と、発信電話番号表示サービスに加入していない場合とでは、発呼時における交換機５０と被呼側装置５１との間で送受信される信号が異なっている。よって、発信電話番号表示サービスに加入して発信者番号を被呼側装置５１のＬＣＤへ表示するためには、発信電話番号表示サービス対応の電話装置を用意し、且つ、その電話装置に設けられている発信者番号を受信するための機能（ナンバーディスプレー機能）をオン状態に設定する必要がある。
【００２６】
なお、発信電話番号表示サービスに加入していれば、必ず発信者番号が交換機５０から送られるわけではない。具体的には、発呼側装置が電話番号の通知を拒否している場合には、交換機５０から被呼側装置５１へ発信者番号は送信されない。しかし、この場合においても、発信者番号を送信できない旨の情報がＭＯＤＥＭ信号４４によって被呼側装置５１へ送信される。
【００２７】
本実施例のファクシミリ装置１は、この発信電話番号表示サービスを利用して情報受信端末起動信号４２を受信することにより、ナンバーディスプレー機能をオン状態に設定し、その結果、発信者番号を受信するようにしている。なお、本実施例では、図６における交換機５０を交換機２９とし、被呼側装置５１をファクシミリ装置１として説明する。
【００２８】
図１は、本発明の一実施例であるファクシミリ装置１の外観斜視図である。図１に示すように、ファクシミリ装置１の本体２の側部には、受話器３が取り付けられている。受話器３は非通話時には本体２に設けられた図示しないフック上に置かれ、通話時にはフックから取り上げられて使用される。前者をオンフック状態、後者をオフフック状態と称している。
【００２９】
本体２の上面前部には複数のボタン４ａを備えた操作パネル４が設けられ、その操作パネル４の左後部には、発信者番号を表示するための液晶表示器（ＬＣＤ）５が設けられている。ファクシミリ装置１は、この操作パネル４上に設けられた各ボタン４ａが押下されることにより操作されるとともに、その操作状態や操作手順などがＬＣＤ５に表示される。
【００３０】
操作パネル４及びＬＣＤ５の後部には原稿挿入口６が設けられている。ファクシミリ送信される原稿は、この原稿挿入口６に原稿面を下向きにして挿入され、読み取りが行われた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され印刷に使用された記録紙は、原稿排出口７の下方に設けられた記録紙排出口８から排出される。
【００３１】
図２は、本ファクシミリ装置１の電気的構成を示したブロック図である。ファクシミリ装置１には、ＣＰＵ１１、ＲＯＭ１２、ＥＥＰＲＯＭ１３、ＲＡＭ１４、画像メモリ１５、音声メモリ１６、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４、アンプ２７が備えられ、これらはバスライン３０を介して互いに接続されている。
【００３２】
ＮＣＵ１９は回線制御を行うためのものであり、ファクシミリ装置１はこのＮＣＵ１９を介して電話回線３１に接続されている。ＮＣＵ１９は、交換機２９から送信される呼出信号４６や発信者番号４４などの各種信号を受信するとともに、操作パネル４上に設けられているボタン４ａの操作に応じた発信時のダイヤル信号を交換機２９へ送信したり、更には通話時におけるアナログ音声信号の送受信を行うものである。
【００３３】
ＣＰＵ１１は、ＮＣＵ１９を介して送受信される各種信号に従って、バスライン３０により接続された各部を制御してファクシミリ動作や電話動作、即ち、データ通信を実行するためのものである。ＲＯＭ１２は、このファクシミリ装置１で実行される制御プログラムなどを格納した書換不能なメモリであり、図３から図５までのフローチャートに示すプログラムは、このＲＯＭ１２内に格納されている。
【００３４】
ＥＥＰＲＯＭ１３は、書換可能な不揮発性のメモリであり、ＥＥＰＲＯＭ１３へ記憶されたデータは、ファクシミリ装置１の電源オフ後も保持される。このＥＥＰＲＯＭ１３は、ナンバーフラグ１３ａを備えている。ナンバーフラグ１３ａは、交換機２９から送られる発信者番号を受信するためのナンバーディスプレー機能の設定状態を記憶するためのフラグである。
【００３５】
ファクシミリ装置１は、交換機２９から最初に送られた信号が情報受信端末起動信号４２であれば、ナンバーディスプレー機能をオン状態に設定するとともに、ナンバーフラグ１３ａをオンする。一方、交換機２９から最初に送られた信号が情報受信端末起動信号４２ではなく、呼出信号４６であれば、かかる機能をオフ状態に設定するとともに、ナンバーフラグ１３ａをオフする。上述したように発信電話番号表示サービスに加入している場合には、交換機２９からファクシミリ装置１へ最初に送られる信号が情報受信端末起動信号４２であるのに対し、発信電話番号表示サービスに加入していない場合には、交換機２９からファクシミリ装置１へ最初に送られる信号は呼出信号４６だからである。
【００３６】
ＲＡＭ１４は、ファクシミリ装置１の各動作の実行時に各種のデータを一時的に記憶するためのメモリであり、状態記憶フラグ１４ａを備えている。状態記憶フラグ１４ａは、交換機２９から送られる情報受信端末起動信号４２を受信した場合に、ナンバーフラグ１３ａの内容を退避しておくためのフラグである。
【００３７】
ここで、情報受信端末起動信号４２と内線の呼出信号（内線信号）とは近似している。具体的には、情報受信端末起動信号４２は、０．５ｓ（秒）のオンと、０．５ｓのオフとを繰り返す信号であるのに対し、内線信号は、０．５ｓのオンと、２ｓのオフとを繰り返す信号である。よって、内線と外線とが混在する環境下において、本ファクシミリ装置１を使用すると、ファクシミリ装置１は、内線信号を情報受信端末起動信号４２と間違えて認識してしまうことがある。
【００３８】
内線信号を情報受信端末起動信号４２と間違えると、情報受信端末起動信号４２を受信していないにも拘わらず、ナンバーフラグ１３ａとともにナンバーディスプレイ機能がオン状態に設定されてしまう。よって、かかる場合には、ナンバーフラグ１３ａとナンバーディスプレイ機能の設定とを元の状態に戻さなければならないので、その元の状態を状態記憶フラグ１４ａに記憶（退避）しておくのである。
【００３９】
なお、外線の呼出信号４６は、１ｓのオンと、２ｓのオフとを繰り返す信号であるので、外線の呼出信号４６を情報受信端末起動信号４２と間違えて認識することはない。
【００４０】
画像メモリ１５は、通信履歴、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１５に記憶され、プリンタ２５によって記録紙に印刷された後に、この画像メモリ１５から消去される。一般に、画像データは大容量であるが、画像データが印刷されることを条件にその画像データを消去しているので、画像メモリ１５を有効に使用することができる。音声メモリ１６は、発呼側装置へ送出される応答メッセージや、発呼側装置から送られてきた入来メッセージを記憶するメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００４１】
音声ＬＳＩ１７は、ＮＣＵ１９によって受信されたアナログ音声信号をデジタル音声信号に変換する音声認識処理を行うとともに、ファクシミリ装置１の内部で生成されたデジタル音声信号をアナログ音声信号に変換して、ＮＣＵ１９やスピーカ２８（アンプ２７）へ出力する音声合成処理を行うためのものである。
【００４２】
モデム２０は、画情報を変調および復調して伝送すると共に伝送制御用の各種手順信号を送受信するためのものであり、バッファ２１は、相手側ファクシミリ装置との間で送受信される符号化された画情報を含むデータを一時的に格納するためのものである。スキャナ２２は、原稿挿入口６に挿入された原稿から画像を読み取るためのものであり、符号化部２３は、スキャナ２２により読み取られた画像の符号化を行うものである。復号化部２４は、バッファ２１又は画像メモリ１５に記憶された受信画像データを読み出して、これを復号化するものであり、復号化されたデータは、プリンタ２５により記録紙に印刷される。
【００４３】
操作パネル４は、受信者がこのファクシミリ装置１の設定等を行う場合に各種の操作を行うためのものであり、アンプ２７は、そのアンプ２７に接続されたスピーカ２８を鳴動して、呼出音や音声を出力するためのものである。
【００４４】
このように構成されたファクシミリ装置１は、ＮＣＵ１９を介して、電話回線３１に接続されている。この電話回線３１は、本ファクシミリ装置１の交換機２９に接続され、この交換機２９は電話回線３２を介して、他の交換機に接続されている。なお、他の交換機は、更に、電話回線を介して発呼側装置に接続されている。
【００４５】
次に、図３から図５のフローチャートを参照して、上記のように構成されたファクシミリ装置１の動作について説明する。図３は、着信時における処理を示したフローチャートである。
【００４６】
図３に示すように、ファクシミリ装置１は着呼を待機し（Ｓ１：Ｎｏ）、着呼があると（Ｓ１：Ｙｅｓ）、ナンバーディスプレー機能の設定を記憶しているナンバーフラグ１３ａの内容を確認する（Ｓ２）。ナンバーフラグ１３ａがオフである場合には（Ｓ２：ＯＦＦ）、Ｓ１の処理において着信した信号が情報受信端末起動信号４２であるか否かを判断する（Ｓ３）。判断の結果、着信した信号が情報受信端末起動信号４２でない場合には（Ｓ３：Ｎｏ）、図４に示す電話処理を実行する（Ｓ１２）。
【００４７】
一方、着信した信号が情報受信端末起動信号４２である場合には（Ｓ３：Ｙｅｓ）、ナンバーフラグ１３ａの内容を記憶（退避）するために状態記憶フラグ１４ａをオフする（Ｓ４）。状態記憶フラグ１４ａのオフ後は、情報受信端末起動信号４２の着信に対応して、ナンバーフラグ１３ａをオンするとともに、ナンバーディスプレー機能を作動するための装置の設定を行う（Ｓ５）。設定後、交換機２９へ１次応答信号４３を送信するため電話回線を閉結する（Ｓ６）。
【００４８】
このように、ナンバーフラグ１３ａがオフであり、ナンバーディスプレイ機能を作動するための設定が行われていない場合にも、最初に着信した信号が情報受信端末起動信号４２であれば、ナンバーディスプレー機能を作動するための設定が行われる。よって、新たに発信電話番号表示サービスに加入した受信者は、ボタン４ａ操作などの煩雑な設定操作を強いられることなく、ナンバーディスプレー機能を作動状態に設定することができるのである。
【００４９】
Ｓ２の処理において、ナンバーフラグ１３ａがオンである場合には（Ｓ２：ＯＮ）、Ｓ１の処理において着信した信号が情報受信端末起動信号４２であるか否かを判断する（Ｓ７）。判断の結果、着信した信号が情報受信端末起動信号４２である場合には（Ｓ７：Ｙｅｓ）、ナンバーフラグ１３ａの内容を記憶（退避）するために、状態記憶フラグ１４ａをオンする（Ｓ８）。状態記憶フラグのオン後、交換機２９へ１次応答信号４３を送信するために電話回線を閉結する（Ｓ６）。
【００５０】
電話回線の閉結後（Ｓ６）、交換機２９から発信者番号を受信したか否かを判断する（Ｓ９）。上述したように内線信号と情報受信端末起動信号４２とが近似しているため、Ｓ３及びＳ７の処理において内線信号を情報受信端末起動信号４２と間違えて認識してしまうこと考慮している。判断の結果、交換機２９から発信者番号を受信した場合には（Ｓ９：Ｙｅｓ）、Ｓ３及びＳ７の処理で認識した信号は情報受信端末起動信号４２であるので、交換機２９へ受信完了信号４５を送信するため電話回線を開放する（Ｓ１０）。
【００５１】
電話回線の開放後、ＬＣＤ５へ発信者番号を表示する（Ｓ１１）。受信者は、このＬＣＤ５の表示を見ることにより、受話器３を取り上げる前に発信者を認識することができるのである。ＬＣＤ５への表示後、図４に示す電話処理を実行する（Ｓ１２）。
【００５２】
Ｓ７の処理において、着信した信号が情報受信端末起動信号４２でない場合には（Ｓ７：Ｎｏ）、その着信した信号が内線信号であるか否かを確認する（Ｓ１３）。着信した信号が内線信号である場合には（Ｓ１３：Ｙｅｓ）、ナンバーディスプレイ機能の作動又は停止状態の設定を変更することなく、図４に示す電話処理を実行する（Ｓ１２）。一方、着信した信号が内線信号でなく、即ち、外線の呼出信号４６である場合には（Ｓ１３：Ｎｏ）、ナンバーフラグ１３ａをオフするとともに、ナンバーディスプレー機能を停止するための装置の設定を行う（Ｓ１４）。設定後、図４に示す電話処理を実行する（Ｓ１２）。
【００５３】
このように、ナンバーフラグ１３ａがオンで、ナンバーディスプレイ機能が作動状態にある場合にも、最初に着信した信号が呼出信号４６であれば、ナンバーディスプレー機能を停止するための設定が行われる。よって、発信電話番号表示サービスに加入していた受信者が、かかるサービスを非加入になっても、ボタン４ａ操作などの煩雑な設定操作を強いられることなく、ナンバーディスプレー機能を停止状態に設定することができるのである。
【００５４】
図４に示す電話処理では、まず、呼出信号４６または内線信号が継続しているか否かを確認する（Ｓ２０）。信号が継続している場合には（Ｓ２０：Ｙｅｓ）、受信者に着信があったことを報知するためにスピーカを鳴動する（Ｓ２１）。スピーカの鳴動後、受話器３が取り上げられたか否か、即ち、オフフック状態であるか否かを確認する（Ｓ２２）。未だ、受話器３が取り上げられず、オンフック状態であれば（Ｓ２２：Ｎｏ）、処理をＳ２０へ移行して、信号が継続している間（Ｓ２０：Ｙｅｓ）、Ｓ２０からＳ２２の処理を繰り返す。その間に信号が中断すれば（Ｓ２０：Ｎｏ）、この電話処理を終了する。
【００５５】
一方、受話器３が取り上げられ、オフフック状態となれば（Ｓ２２：Ｙｅｓ）、交換機２９へ２次応答信号４７を送信するために電話回線を閉結する（Ｓ２３）。電話回線の閉結後、通話処理を実行する（Ｓ２４）。通話処理（Ｓ２４）は、受話器３がオフフック状態の間（Ｓ２５：Ｎｏ）継続される。受話器３が下ろされ、オンフック状態となれば（Ｓ２５：Ｙｅｓ）、電話回線を開放して（Ｓ２６）、この電話処理を終了する。電話処理（Ｓ１２）の終了後は、処理を図３のＳ１へ移行して、次の着呼を待機する（Ｓ１）。
【００５６】
Ｓ９の処理において、交換機２９から発信者番号を受信しなかった場合には（Ｓ９：Ｎｏ）、Ｓ３及びＳ７の処理で、内線信号を情報受信端末起動信号４２と間違えて認識してしまったということであるので、図５に示す誤動作処理を実行する（Ｓ１５）。
【００５７】
図５の誤動作処理は、内線信号を情報受信端末起動信号４２と間違えて認識してしまったときの処理である。かかる場合には電話処理（Ｓ１２）を行うことができないので、図５に示すように、まず、内線の発呼先である発呼側装置に「再度かけ直して下さい」とメッセージを出力する（Ｓ３０）。これにより、内線信号の発信先である発呼側装置の通話者に対して、再発呼を依頼することができるのである。
【００５８】
メッセージの出力後、電話回線を開放するとともに（Ｓ３１）、状態記憶フラグ１４ａの内容を確認する（Ｓ３２）。状態記憶フラグ１４ａがオフであれば（Ｓ３２：ＯＦＦ）、着信した内線信号を交換機２９からの情報受信端末起動信号４２と間違えて認識してしまいナンバーフラグ１３ａをオフからオンへ切り替えてしまったので、ナンバーフラグ１３ａをオフするとともに、ナンバーディスプレー機能を停止するための装置の設定を行う（Ｓ３３）。設定後、この誤動作処理を終了する。一方、状態記憶フラグ１４ａがオンであれば（Ｓ３２：ＯＮ）、ナンバーフラグ１３ａの内容は変更されていないので、そのままＳ３２の処理をスキップして、この誤動作処理を終了する。なお、誤動作処理の終了後は、処理を図３のＳ１へ移行して、次の着呼を待機する（Ｓ１）。
【００５９】
このように、内線信号を情報受信端末起動信号４２と間違えて認識することにより、誤って、ナンバーディスプレイ機能の設定状態が作動状態へ切り替えられても、状態記憶フラグ１４ａに基づいて、かかる機能の設定状態を元の状態へ戻すことができるのである。
【００６０】
なお、本実施例において、請求項１から４に記載の動作状態設定手段としてはＳ５、Ｓ１４及びＳ３３の処理が、検出手段としてはＳ３及びＳ７の処理が、それぞれ該当する。また、第１切替手段としてはＳ５の処理が該当する。判定手段としてはＳ９の処理が該当する。請求項１、３及び４に記載の第３切替手段としてはＳ３３の処理が該当する。請求項２から４に記載の第４切替手段としてはＳ３３の処理が該当する。請求項３または４に記載のメッセージ通知手段としてはＳ３０の処理が該当する。
【００６１】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６２】
例えば、本実施例のファクシミリ装置１では、ナンバーフラグ１３ａがオフで、Ｓ１の処理において着信した信号が情報受信端末起動信号４２である場合には、ナンバーフラグ１３ａをオンする処理を行っていた。しかし、これに加えて、かかる処理を実行するか否かを設定し、その設定がオン状態である場合に、かかる処理を実行し、オフ状態である場合には、かかる処理の実行を禁止することができるように構成しても良い。
【００６３】
また、本実施例のファクシミリ装置１では、ナンバーフラグ１３ａがオンで、Ｓ１の処理において着信した信号が外線の呼出信号４６である場合には、ナンバーフラグ１３ａをオフする処理が行われた。しかし、これに加えて、かかる処理を実行するか否かを設定し、その設定がオン状態である場合に、かかる処理を実行し、オフ状態である場合には、かかる処理の実行を禁止することができるように構成しても良い。
【００６４】
また、本実施例のファクシミリ装置１では、発呼側装置からの着呼があった場合に、交換機２９から送られる信号に基づいて、図３から図５までのフローチャートに示す処理を行っていた。しかし、これに加えて、図３から図５までのフローチャートに示す処理を行うか否かを設定し、この設定がオン状態である場合には、かかる処理を実行し、オフ状態である場合には、かかる処理の実行を禁止することができるように構成しても良い。
【００６５】
また、本実施例のファクシミリ装置１では、図９の処理において、交換機２９から発信者番号を受信したか否かを判断していた。しかし、これに加えて、Ｓ９の処理において、交換機２９から発信者番号が受信されないと判断されることことが複数回連続して発生した場合には、Ｓ９の処理の実行を禁止することができるように構成しても良い。
【００６６】
【発明の効果】
請求項１記載の電話装置によれば、信号受信手段により受信される信号から発呼側装置の情報を通知することを示す信号が検出されると、第１切替手段によって動作状態設定手段による発呼側情報受信手段の設定が作動状態に切り替えられる。これにより、交換機側から送られる発呼側装置の情報が発呼側情報受信手段によって受信可能に設定される。よって、回線の閉結前に交換機側から送られる信号に基づいて、発呼側情報受信手段の設定を自動的に作動状態へ切り替えるため、受信者に煩わしい切り替え操作を強いることなく、交換機側から送られる発呼側装置の情報を確実に受信することができるという効果がある。
更に、検出手段による発呼側装置の情報を通知することを示す信号の検出が適切でなく別の情報を示す信号の検出であると判定手段によって判定されると、第１切替手段により一旦切り替えられた動作状態設定手段による発呼側情報受信手段の設定が、第３切替手段によって元の状態へ切り替えられる。よって、別の情報を示す信号を発呼側装置の情報を通知することを示す信号と間違えて検出しても、発呼側情報受信手段の設定を元の状態へ切り替えることができ、不必要に発呼側情報受信手段の設定状態が切り替えられるという不具合を防止することができる。
【００６７】
【００６８】
【００６９】
【００７０】
請求項２記載の電話装置によれば、信号受信手段により受信される信号から発呼側装置の情報を通知することを示す信号が検出されると、第１切替手段によって動作状態設定手段による発呼側情報受信手段の設定が作動状態に切り替えられる。これにより、交換機側から送られる発呼側装置の情報が発呼側情報受信手段によって受信可能に設定される。よって、回線の閉結前に交換機側から送られる信号に基づいて、発呼側情報受信手段の設定を自動的に作動状態へ切り替えるため、受信者に煩わしい切り替え操作を強いることなく、交換機側から送られる発呼側装置の情報を確実に受信することができるという効果がある。
更に、検出手段による発呼側装置の情報を通知することを示す信号の検出が適切でなく別の情報を示す信号の検出であると判定手段によって判定されると、第１切替手段により一旦切り替えられた動作状態設定手段による発呼側情報受信手段の設定が、第４切替手段によって停止状態へ切り替えられる。よって、別の情報を示す信号を発呼側装置の情報を通知することを示す信号と間違えて検出しても、発呼側情報受信手段の設定を停止状態へ切り替えることができ、誤って発呼側情報受信手段の設定状態が切り替えられるという不具合を防止することができる。
【００７１】
請求項３記載の電話装置によれば、請求項１または２に記載の電話装置の奏する効果に加え、更に、検出手段による発呼側装置の情報を通知することを示す信号の検出が適切でなく別の情報を示す信号の検出であると判定手段によって判定されると、かかる別の情報を示す信号の送信先である発呼側装置に対して、メッセージ通知手段により所定のメッセージが通知される。よって、所定のメッセージとして、例えば再度電話をかけ直してもらうことを依頼するメッセージを用いることにより、信号の発信先である発呼側装置の通話者に対して、再発呼を依頼することができるという効果がある。
【００７２】
請求項４記載の電話装置によれば、請求項１から３のいずれかに記載の電話装置の奏する効果に加え、更に、かかる別の情報を示す信号は内線の呼出信号であるので、内線と外線が混在する環境下においても、本電話装置を使用することができるという効果がある。
【図面の簡単な説明】
【図１】  本発明の一実施例であるファクシミリ装置の斜視図である。
【図２】  上記ファクシミリ装置の電気的構成を示したブロック図である。
【図３】  着信時の処理を示したフローチャートである。
【図４】  電話処理を示したフローチャートである。
【図５】  誤動作処理を示したフローチャートである。
【図６】  交換機と被呼側装置との各種信号の送受信における手順を示した図である。
【符号の説明】
１          ファクシミリ装置（電話装置）
３          受話器
１３        ＥＥＰＲＯＭ
１３ａ      ナンバーフラグ（動作状態記憶手段）
１４        ＲＡＭ
１４ａ      状態記憶フラグ
１９        ネットワークコントロールユニット（ＮＣＵ）（信号受信手段及び発呼側情報受信手段の一部）
２０        モデム（信号受信手段及び発呼側情報受信手段の一部）
２１        バッファ（信号受信手段及び発呼側情報受信手段の一部）
２９        交換機
３１，３２  電話回線
４２        情報受信端末起動信号（発呼側装置の情報を通知することを示す信号）
４４        発呼側装置の電話番号（発呼側装置の情報）
【図１】
0003702642.tif 000002
【図２】
0003702642.tif 000003
【図３】
0003702642.tif 000004
【図４】
0003702642.tif 000005
【図５】
0003702642.tif 000006
【図６】
0003702642.tif 000007